(57)【特許請求の範囲】
【請求項１】
複数の色光を色光毎に画像情報に応じて変調する複数の反射型光変調装置と、
前記反射型光変調装置に照射される光束および前記反射型光変調装置で変調された光束を偏光分離する複数の反射型偏光板と、
前記反射型光変調装置により変調され前記反射型偏光板により反射された偏光光の偏光方向と略同一の偏光方向を有する偏光光を透過させる偏光板と、
前記反射型偏光板を保持する反射型偏光板調整部材と、
前記反射型偏光板、前記反射型光変調装置、および前記偏光板をそれぞれ支持する３側面を有する取付部材と、を備え、
前記反射型偏光板調整部材は、
上部に、長孔の第１の開口が設けられ、所定の軸を中心に傾斜させる第１の操作部と、
下部に、傾斜を規制する第２の開口と、を有することを特徴とするプロジェクター。
【請求項２】
請求項１に記載のプロジェクターにおいて、
前記取付部材の第１の側面には、
前記反射型偏光板調整部材の前記第１の開口と係合する第１の突起部と、
前記第２の開口と係合する第２の突起部と、が設けられていることを特徴とするプロジェクター。
【請求項３】
請求項１または請求項２に記載のプロジェクターにおいて、
前記偏光板を保持し、前記取付部材に対して所定の軸を中心として傾斜可能に取り付けられる偏光板調整部材と、
前記反射型光変調装置を光学的に補償する光学補償板と、
前記光学補償板を保持し、前記取付部材に対して所定の軸を中心として傾斜可能に取り付けられる光学補償板調整部材と、を備え、
前記光学補償板調整部材は、
上部に、所定の軸を中心として傾斜させる第２の操作部と、
係合孔が設けられ、平面視で互いに離間する方向に突出する一対の腕部と、有し
前記偏光板調整部材は、
上部の一端に、第３の開口が設けられた突出部と、
他端に、所定の軸を中心として傾斜させる第３の操作部と、を有することを特徴とするプロジェクター。
【請求項４】
請求項３に記載のプロジェクターにおいて、
前記取付部材の第３の側面には、前記偏光板調整部材の前記第３の開口と係合する第３の突起部が形成され、
前記取付部材の外面には、平面視で互いに平行となる一対の支持面が形成され、
前記一対の支持面には、平面視で互いに離間する方向に突出する一対の突起部が形成され、
前記取付部材の天面部には、前記光学補償板調整部材の前記第２の操作部を前記取付部材の外部に突出させる操作用切り欠き部が形成され、
前記光学補償板調整部材は、前記取付部材に対して係止されていることを特徴とするプロジェクター。
【請求項５】
請求項３または請求項４に記載のプロジェクターにおいて、
前記光学補償板調整部材、前記反射型偏光板調整部材及び、前記偏光板調整部材は、前記取付部材の天面方向から調整可能であることを特徴とするプロジェクター。
【発明の詳細な説明】
【技術分野】
【０００１】
本発明は、プロジェクターに関する。
【背景技術】
【０００２】
従来、Ｒ，Ｇ，Ｂの色光ごとに画像情報に応じて変調し、変調した各色光を合成して画像光を形成する光学装置と、形成された画像光を拡大投射する投射レンズとを備えたプロジェクターが知られている（例えば、特許文献１参照）。
特許文献１に記載のプロジェクターでは、光学装置は、色光ごとに設けられる３つの反射型光変調装置である液晶パネルと、三角柱状に形成されて所定の一面に液晶パネルが取り付けられる３つの取付部材（支持部材）と、各液晶パネルによって変調された各色光を合成して画像光を形成する立方体状のクロスダイクロイックプリズムとを備えている。液晶パネルが取り付けられた３つの取付部材および投射レンズは、立方体状のクロスダイクロイックプリズムが有する４つの各側面にそれぞれ近接配置される。
【０００３】
ところで、プロジェクターでは、鮮明な画像を得るために、各液晶パネルは投射レンズのバックフォーカス位置に必ずなければならない。また、より鮮明な画像を得るために、各液晶パネル間での画素ずれの発生を防止する必要がある。このため、光学装置の製造時には、各液晶パネルを投射レンズのバックフォーカス位置に正確に配置するフォーカス調整、および、各液晶パネルの画素を一致させるアライメント調整を高精度に行う必要がある。
そして、特許文献１に記載のプロジェクターでは、取付部材に対してパネル支持板を介して液晶パネルを取り付ける構成を採用し、取付部材とパネル支持板との間に液晶パネルの位置調整を行うための構造を設けている。すなわち、クロスダイクロイックプリズムに固定された取付部材に対して、冶具を用いて液晶パネルを移動させることで液晶パネルの位置調整を行っている。
【０００４】
反射型変調素子を用いたプロジェクターにおいて、光源から投射部に至る経路には、反射型変調素子を含め各種光学素子が配置されている。光学部品は光束が通過する際の光の吸収によって自身が発熱し光学特性が劣化する虞がある。このため通常プロジェクターはファンを用いて外気を取り込み、光学部品を冷却している。しかし、外気中に混在する塵埃もプロジェクター内部に入る虞があり、塵埃が反射型変調素子等の光学部品に付着すると、投射画像の画質が劣化するという問題が起きる。
【０００５】
そこで反射型変調素子周辺の構造を密閉し、塵埃の付着を抑制するプロジェクターが提案されている（例えば、特許文献１参照）。
【先行技術文献】
【特許文献】
【０００６】
【特許文献１】特開２００９−３６８１９号公報
【発明の概要】
【発明が解決しようとする課題】
【０００７】
しかしながら、特許文献１に記載のプロジェクターでは、ワイヤーグリッドを取付部材に接着剤等で固定し、取付部材を再結合プリズムの光束入射面に接着剤等で固定している。これらによりワイヤーグリッドを含めた各光学素子を光軸に対して最適な位置に調整することが出来ないという問題を有している。
【課題を解決するための手段】
【０００８】
本発明は、上記課題の少なくとも一部を解決するためになされたものであり、以下の形態または適用例として、変調ユニットの各部材の位置調整を容易にできるプロジェクターを提供することを目的とする。
【０００９】
［適用例１］本適用例にかかるプロジェクターは、複数の色光を色光毎に画像情報に応じて変調する複数の反射型光変調装置と、前記反射型光変調装置に照射される光束および前記反射型光変調装置で変調された光束を偏光分離する複数の反射型偏光板と、前記反射型光変調装置にて変調され前記反射型偏光板にて反射された偏光方向と略同一の偏光方向を有する偏光光を透過させる偏光板とを備え、前記反射型偏光板を保持する反射型偏光板調整部材と、前記反射型光変調装置、前記偏光板を支持する３側面を有する取付部材を備えたことを特徴とする。
【００１０】
本適用例によれば、取付部材に反射型偏光板調整部材を備えているので、光軸に対して光学装置単体で同時に最適な位置調整を行うことができ、これによってコントラストの最大・最適化が可能となる。
また、本適用例によれば、取付部材に形成された３つの開口部がそれぞれ反射型光変調装置、反射型偏光板、および光学素子により閉塞され、取付部材内部の空間が密閉されている。そして、この密閉空間内に反射型光変調装置の反射面が配置されることとなるので、反射面への粉塵の付着を防ぐことができ、反射面に付着した粉塵が投射画像中に影として映るなどの投射画像の劣化を防止できる。
【００１１】
［適用例２］上記適用例にかかるプロジェクターにおいて、前記反射型偏光板調整部材は、上部に所定の軸を中心として傾斜させるための操作部を有し、下部には傾斜を規制する開口を有し、前記操作部には、長孔の開口が設けられていることを特徴とする。
このような構成によれば、簡易な構成で、操作部を使用しながら位置調整ができる。
【００１２】
［適用例３］上記適用例にかかるプロジェクターにおいて、前記取付部材の第１の側面には、前記反射型偏光板調整部材の操作部の長穴の開口と係合する第１の突起部と、傾斜を規制する前記開口と係合する第２の突起部を有することを特徴とする。
このような構成によれば、簡易な構成で、容易に位置調整できる。
【００１３】
［適用例４］上記適用例にかかるプロジェクターにおいて、前記偏光板を保持し、前記取付部材に対して所定の軸を中心として傾斜可能に取り付けられる偏光板調整部材と、前記反射型光変調装置を光学的に補償する光学補償板と前記光学補償板を保持し、前記取付部材に対して所定の軸を中心として傾斜可能に取り付けられる光学補償板調整部材を備え、前記偏光板調整部材は、上部の一端には突出部を形成し、他端には、所定の軸を中心として傾斜させるための操作部を形成し、前記突出部には、開口が設けられ、前記光学補償板調整部材は、上部に所定の軸を中心として傾斜させるための操作部と、平面視で互いに離間する方向に突出する一対の腕部を形成し、前記一対の腕部は係合孔を有することを特徴とする。
【００１４】
［適用例５］上記適用例にかかるプロジェクターにおいて、前記取付部材の第２の側面には、突起部が形成され、前記偏光板調整部材の前記開口と係合し、前記取付部材の外面には、平面視で互いに平行となる一対の支持面が形成され、前記一対の支持面には、平面視で互いに離間する方向に突出する一対の突起部が形成され、前記取付部材の天面部には、前記操作部を取付部材外部に突出するための操作用切り欠き部が形成され、前記光学補償板調整部材が係止されていることを特徴とする。
【００１５】
本適用例によれば、偏光板調整部材の上部操作部と、光学補償板調整部材の上部操作部を動作させるだけで、簡単に調整ができる。
【００１６】
［適用例６］上記適用例にかかるプロジェクターにおいて、前記光学補償板調整部材、前記反射型偏光板調整部材及び、前記偏光板調整部材の調整は、前記取付部材の天面方向から調整可能であることを特徴とする。
【００１７】
本適用例によれば、反射型偏光板、偏光板、光学補償板の調整部材の操作部を同一方向とするため、３部品の調整を同方向から簡単に調整できる。
また、調整部材の操作部の簡易な形状にすることによって、取付部材の構造の簡素化が図れる。
【図面の簡単な説明】
【００１８】
【図１】本実施形態におけるプロジェクターの概略構成を示す図。
【図２】本実施形態における変調ユニットの構成を示す図。
【図３】本実施形態における変調ユニットの構成を示す図。
【図４】本実施形態における取付部材及び補償板調整部材の係止構造を説明するための図。
【図５】本実施形態における取付部材及びワイヤーグリッド調整部材の係止構造を説明するための図。
【図６】本実施形態における取付部材及び偏光板調整部材の係止構造を説明するための図。
【図７】本実施形態における光学補償素子の姿勢調整を説明するための図。
【図８】本実施形態におけるワイヤーグリッドの姿勢調整を説明するための図。
【図９】本実施形態における偏光板の姿勢調整を説明するための図。
【発明を実施するための形態】
【００１９】
以下、本発明にかかる一実施形態を図面に基づいて説明する。
〔プロジェクターの構成〕
図１は、プロジェクター１の概略構成を示す図である。具体的に、図１は、本実施形態の要部である投射ユニット２の光学系を模式的に示した図である。
プロジェクター１は、画像を投射してスクリーン（図示略）上に投射画像を表示する。
このプロジェクター１は、図１に示すように、外装筐体（図示略）内部に収納される投射ユニット２を備える。
【００２０】
投射ユニット２は、光源装置（図示略）から出射され、ダイクロイックミラー等の色分離光学装置（図示略）で分離されたＲ（赤）、Ｇ（緑）、Ｂ（青）の各色光をそれぞれ変調し、変調した各色光を合成して投射するものである。
この投射ユニット２は、図１に示すように、３つの変調ユニット２Ａと、色合成光学装置としてのクロスダイクロイックプリズムであるプリズム２Ｂと、投射レンズ２Ｃとを備える。
【００２１】
〔変調ユニットの構成〕
図２及び図３は、変調ユニット２Ａの構成を示す図である。具体的に、図２は変調ユニット２Ａの斜視図であり、図３は変調ユニット２Ａの分解斜視図である。
３つの変調ユニット２Ａは、図１に示すように、同様の構成を有し、反射型偏光板としてのワイヤーグリッド３（図１、図５）と、反射型偏光板調整部材としてのワイヤーグリッド調整部材３１（図５）と、反射型光変調装置４（図３）と、偏光板５（図１、図６）と、偏光板調整部材５１（図６）、光学補償板としての光学補償素子６（図１、図３）と、取付部材７（図２、図３）と、光学補償板調整部材としての光学補償素子調整部材８（図２、図３）とを備える。
なお、以下では、説明の便宜上、Ｒ色光側のワイヤーグリッドに３Ｒ、Ｇ色光側のワイヤーグリッドに３Ｇ、Ｂ色光側のワイヤーグリッドに３Ｂの符号を付して説明する（図１）。
【００２２】
〔ワイヤーグリッドの構成〕
ワイヤーグリッド３は、格子構造に基づく回折により、入射した光束を偏光分離する。このワイヤーグリッド３は、図１または図２に示すように、取付部材７により、入射光束の光軸に対して略４５°傾斜した状態で配置される。
そして、ワイヤーグリッド３は、入射した光束のうち、所定の偏光光（第１の直線偏光光）を透過させ、第１の直線偏光光の偏光方向に直交する偏光方向を有する偏光光（第２の直線偏光光）を反射させ、入射した光束を偏光分離する。
【００２３】
〔反射型光変調装置の構成〕
反射型光変調装置４は、シリコン基板上に液晶が形成された所謂ＬＣＯＳ(Liquid Crystal On Silicon)で構成された反射型液晶パネルを備える。この反射型光変調装置４は、図１ないし図３に示すように、取付部材７により、ワイヤーグリッド３を透過した光束の光軸に対して略直交した状態で配置される。
そして、反射型光変調装置４は、制御装置（図示略）から信号が入力されることで、前記液晶の配向状態が制御され、ワイヤーグリッド３を透過した偏光光束の偏光方向を変調（位相変調）し、ワイヤーグリッド３に向けて反射する。反射型光変調装置４にて変調され、ワイヤーグリッド３に向けて反射された光束は、第２の直線偏光光と同一の偏光方向を有する偏光光のみがワイヤーグリッド３にて反射されてプリズム２Ｂに向う。
【００２４】
〔偏光板の構成〕
偏光板５は、反射型光変調装置４にて変調されワイヤーグリッド３にて反射された第２の直線偏光光の偏光方向と略同一の偏光方向を有する偏光光を透過させる。すなわち、ワイヤーグリッド３及び偏光板５の双方を用いることで、ワイヤーグリッド３にて所望の直線偏光光以外の偏光成分が反射された場合であっても、偏光板５にて前記偏光成分を除去する構成を採用している。
そして、偏光板５は、図１ないし図６に示すように、取付部材７により、プリズム２Ｂの光入射面２Ｂ１（図１）に対向するように配置される。
【００２５】
なお、プリズム２Ｂは、図１に示すように、各偏光板５を透過した各色光がそれぞれ入射される３つの光入射面２Ｂ１を有し、入射した各色光を合成する。
このプリズム２Ｂは、４つの直角プリズムを貼り合せた平面視略正方形状をなし、直角プリズム同士を貼り合せた界面には、２つの誘電体多層膜が形成されている。これら誘電体多層膜は、ワイヤーグリッド３Ｇにて反射されたＧ色光を透過し、各ワイヤーグリッド３Ｒ，３Ｂにて反射されたＲ，Ｂ色光をそれぞれ反射する。このようにして、各色光が合成される。そして、プリズム２Ｂで合成された光束（画像）は、投射レンズ２Ｃにてスクリーンに向けて投射される。
【００２６】
〔光学補償素子の構成〕
光学補償素子６は、ガラスまたはブラスチック等のポリマー製の透明板上に、複屈折性を有する無機若しくは有機材料からなる板状部材、または、これらを複合した板状部材に、ＷＶ（Wide View）フィルム等を取り付けたものである。この光学補償素子６は、反射型光変調装置４にて正確に変調できなかった位相変調量を微調整し、投射画像のコントラストを向上させる。
そして、光学補償素子６は、図１ないし図３に示すように、取付部材７内部に収納され、反射型光変調装置４に対向するように配置される。
【００２７】
〔取付部材の構成〕
取付部材７は、プラスチック製でワイヤーグリッド３およびワイヤーグリッド調整部材３１、反射型光変調装置４、偏光板５および偏光板調整部材５１、及び光学補償素子６を支持する。
この取付部材７は、図２または図３に示すように、断面略直角二等辺三角形状を有する三角柱状の中空部材であり、斜面である第１側面７１、頂角を挟む第２側面７２及び第３側面７３を備える。
また、第１側面７１には、突起部７１１，７１２，７１３が形成され、第３側面７３には突起部７３１が形成されている。
【００２８】
第１側面７１には、図５に示すように、開口部７４Ａが形成されている。この開口部７４Ａを閉塞するようにワイヤーグリッド３、ワイヤーグリッド調整部材３１が固定される。
また、第３側面７３には、図６に示すように、開口部７４Ｃが形成されている。この開口部７４Ｃを閉塞するように偏光板５、偏光板調整部材５１が固定される。
【００２９】
第２側面７２には、図３に示すように、内部に向けて窪む平面視略矩形状の凹部７５が形成されている。
この凹部７５において、底部分の一部には、取付部材７内外を連通する平面視矩形状の開口部７４Ｂが形成されている。
また、凹部７５において、図３中、左上部分の側壁、及び右下部分の側壁には、左右方向に沿って凹部７５内外を連通する第１固定用切欠部７６Ａ及び第２固定用切欠部７６Ｂがそれぞれ形成されている。
【００３０】
そして、取付部材７外面には、第１固定用切欠部７６Ａ，第２固定用切欠部７６Ｂにそれぞれ連接し、第３側面７３に平行となる方向に延出する第１支持面７７Ａ（図４（Ａ）参照）及び第２支持面７７Ｂ（図３、図４（Ｂ）参照）がそれぞれ形成されている。
これら第１支持面７７Ａ，第２支持面７７Ｂには、第３側面７３に略直交する方向に突出する略円柱状の第１突起部７８Ａ（図４（Ａ）参照）及び第２突起部７８Ｂ（図３、図４（Ｂ）参照）がそれぞれ形成されている。
さらに、取付部材７の天面部には、図２または図３に示すように、上下方向に沿って凹部７５内外を連通する操作用切欠部７６Ｃが形成されている。
そして、第２側面７２には、凹部７５に光学補償素子６及び光学補償素子調整部材８が収納され、凹部７５を閉塞するように反射型光変調装置４が固定される。
以上のように、各部材である、ワイヤーグリッド３、ワイヤーグリッド調整部材３１、反射型光変調装置４、偏光板５、偏光板調整部材５１にて各開口部７４Ａ〜７４Ｃがそれぞれ閉塞されることで、取付部材７内部の空間が略密閉される。
【００３１】
〔ワイヤーグリッド調整部材の構成〕
ワイヤーグリッド調整部材３１は、ワイヤーグリッド３を保持しつつ、取付部材７に対して係止される。そして、ワイヤーグリッド調整部材３１は、ワイヤーグリッド３の姿勢調整に利用される。
このワイヤーグリッド調整部材３１は、図５に示すように、板金加工が施されることにより、基体３１１に対して操作部３２が一体形成されたものである。
基体３１１は、平面視略矩形状の板体で構成されている。そして、この基体３１１には、略中央部分に光束を通過させるための開口部（図示略）が形成され、当該開口部を閉塞するようにワイヤーグリッド３が固定される。
【００３２】
ワイヤーグリッド調整部材３１は、取付部材７の天面方向に、略長方形状で延出し、さらにその一部が突出した操作部３２が形成され、操作部内には略円弧形状の長孔である長穴３３が形成されている。また下部中央には略長方形の長穴３４が形成されている。
ワイヤーグリッド３の位置調整は、ワイヤーグリッド調整部材３１の長穴３３に、第１側面７１の突起部７１１を遊嵌状態で挿入し、長穴３４に突起部７１２を遊嵌状態で挿入する。操作部３２を使用して長穴３３に沿って、位置調整をする。尚、突起部７１３は傾斜を規制するものである。
【００３３】
〔偏光板調整部材の構成〕
偏光板調整部材５１は、偏光板５を保持しつつ、取付部材７に対して係止される。そして、偏光板調整部材５１は、偏光板５の姿勢調整に利用される。
この偏光板調整部材５１は、図６に示すように、板金加工が施されることにより、基体５１１に対して取付部材７の天面方向に略長方形状に延出した突出部５２と、天面方向に延出し、さらに横方向に延出する操作部５４が一体形成されたものである。突出部５２内には孔５３が形成されている。
基体５１１は、平面視略矩形状の板体で構成されている。そして、この基体５１１には、略中央部分に光束を通過させるための開口部（図示略）が形成され、当該開口部を閉塞するように偏光板５が固定される。
【００３４】
偏光板５の調整は、偏光板調整部材５１の孔５３に、第３側面７３の突起部７３１を遊嵌状態で挿入し、操作部５４を使用して位置調整をする。
【００３５】
〔光学補償素子調整部材の構成〕
光学補償素子調整部材８は、光学補償素子６を保持しつつ、取付部材７に対して係止される。そして、光学補償素子調整部材８は、光学補償素子６の姿勢調整に利用される。
この光学補償素子調整部材８は、図３に示すように、板金加工が施されることにより、基体８１に対して第１腕部８２Ａ、第２腕部８２Ｂ、及び操作部８３が一体形成されたものである。
基体８１は、平面視略矩形状の板体で構成されている。そして、この基体８１には、略中央部分に光束を通過させるための開口部（図示略）が形成され、当該開口部を閉塞するように光学補償素子６が固定される。
【００３６】
図４は、取付部材７及び光学補償素子調整部材８の係止構造を説明するための図である。具体的に、図４（Ａ）は第１支持面７７Ａを含む領域を拡大した斜視図であり、図４（Ｂ）は第２支持面７７Ｂを含む領域を拡大した斜視図である。
第１腕部８２Ａ及び第２腕部８２Ｂは、取付部材７に対して傾斜軸Ａｘ（図３、図７参照）を中心として傾斜可能に軸支される部分である。
第１腕部８２Ａは、光学補償素子調整部材８が取付部材７の凹部７５内部に収納された状態で、第１固定用切欠部７６Ａを介して凹部７５内部から外部に突出する部分であり、図３に示すように、第１延出部８２１Ａと、第１軸部８２２Ａとを備える。
第１延出部８２１Ａは、図３中、基体８１の左上部分の端縁から基体８１の板面に沿って左側に延出する。
第１軸部８２２Ａは、第１延出部８２１Ａの先端部分が略９０°折り曲げられた部分であり、表裏を貫通する第１丸孔８２３Ａを有する。
そして、第１腕部８２Ａは、図４（Ａ）に示すように、第１固定用切欠部７６Ａを介して凹部７５内部から外部に突出した状態で、第１軸部８２２Ａが第１支持面７７Ａに対向し、第１丸孔８２３Ａに第１突起部７８Ａが挿通することで、取付部材７に対して係止される。
【００３７】
第２腕部８２Ｂは、図３中、基体８１の右下部分の端縁に形成されたものであり、図３または図４に示すように、第１腕部８２Ａにおける第１延出部８２１Ａ及び第１軸部８２２Ａ（第１丸孔８２３Ａを含む）と略同様の第２延出部８２１Ｂ及び第２軸部８２２Ｂ（第２丸孔８２３Ｂを含む）を備える。
そして、第２腕部８２Ｂは、図４（Ｂ）に示すように、第２固定用切欠部７６Ｂを介して凹部７５内部から外部に突出した状態で、第２軸部８２２Ｂが第２支持面７７Ｂに対向し、第２丸孔８２３Ｂに第２突起部７８Ｂが挿通することで、取付部材７に対して係止される。
【００３８】
次に、上述した変調ユニット２Ａの製造方法について説明する。尚この取付順序は、都度決定するものである。
まず、図５に示すように、取付部材７の第１側面７１に対して、ワイヤーグリッド３が固定されたワイヤーグリッド調整部材３１を固定し、図６に示すように、取付部材７の第３側面７３に対して、偏光板５が固定された偏光板調整部材５１を固定する。
また、図３に示すように、光学補償素子６が固定された光学補償素子調整部材８を凹部７５内部に収納し、第１腕部８２Ａ，第２腕部８２Ｂを第１突出部７８Ａ，第２突出部７８Ｂに係止する。さらに、第２側面７２に対して、反射型光変調装置４を固定する。
【００３９】
次に、光源装置を利用して、ワイヤーグリッド３に向けて姿勢調整用の光束を出射させる。
そして、反射型光変調装置４にて変調され、ワイヤーグリッド３、偏光板５、及び投射レンズ（図示略）を介してスクリーンに投射された当該投射画像のコントラストが最大となるように、各部材の姿勢調整を実施する。
【００４０】
図７は、光学補償素子の姿勢調整を説明するための図、図８はワイヤーグリッドの姿勢調整を説明するための図であり、偏光板の姿勢調整を説明するための図である。
【００４１】
まず、光学補償素子６の調整は、図７に示すように、操作用切欠部７６Ｃを介して取付部材７の外部に突出した操作部８３を第２側面７２に直交する方向に移動させることで、傾斜軸Ａｘを中心として光学補償素子調整部材８（光学補償素子６）を傾斜させる。
そして、上述したように光学補償素子６を傾斜させ、投射画像のコントラストが最大となる位置（反射型光変調装置４の液晶材料や配向状態に応じて光学補償素子６の光学軸の方位が適正となる位置）に位置付けた後、以下に示すように、取付部材７に対して光学補償素子調整部材８を固定する。
すなわち、操作用切欠部７６Ｃと操作部８３との隙間、第１突出部７８Ａ，第２突出部７８Ｂと第１丸孔８２３Ａ，第２丸孔８２３Ｂとの隙間、及び第１支持面７７Ａ，第２支持面７７Ｂと第１軸部８２２Ａ，第２軸部８２２Ｂとの隙間に接着剤を充填し、硬化させる。
【００４２】
次に、ワイヤーグリッド３の調整は、図８に示すように紫外線硬化型の接着剤が塗布されたワイヤーグリッド調整部材３１と取付部材７とを、取付部材７がワイヤーグリッド調整部材３１に取り付けられた状態で、冶具で取付部材７を保持しながら設置する。すなわち、操作部３２を移動させコントラストが最大になる位置に位置つけた後、突起部７１１と長穴３３との隙間に接着剤を充填し、硬化させる。
【００４３】
同様に、偏光板の調整は、図９に示すように紫外線硬化型の接着剤が塗布された偏光板調整部材５１と取付部材７とを、取付部材７が偏光板調整部材５１に取り付けられた状態で、冶具で取付部材７を保持しながら設置する。すなわち、操作部５４を移動させコントラストが最大になる位置に位置つけた後、突起部７３１と孔５３との隙間に接着剤を充填し、硬化させる。
以上の工程により、変調ユニット２Ａが製造される。
【００４４】
〔本実施形態の効果〕
以上のような本実施形態のプロジェクター１によれば、以下の効果を奏することができる。
ワイヤーグリッド３は、ワイヤーグリッド調整部材３１を貼り付けるだけの簡易な構成で、取付部材７との間で取付位置の調整が容易にできる。
また、光学補償素子６、および、偏光板５も偏光板調整部材５１を貼り付けるだけの簡易な構成で、取付部材７との間で取付位置の調整が容易にできる。
【００４５】
取付部材７に形成された３つの開口部７４Ａ，７４Ｂ，７４Ｃがそれぞれ反射型光変調装置４、ワイヤーグリッド３およびワイヤーグリッド調整部材３１、偏光板５および偏光板調整部材５１により閉塞され、取付部材７内部の空間が密閉されている。そして、この密閉空間内に反射型光変調装置４の反射面が配置されることとなるので、反射面への粉塵の付着を防ぐことができ、反射面に付着した粉塵が投射画像中に影として映るなどの投射画像の劣化を防止できる。
【００４６】
またワイヤーグリッド調整部材３１、偏光板調整部材５１、光学補償素子調整部材８の操作部を同一方向とするため、３部品の調整を同方向から簡単に調整できる。
また、各調整部材の操作部を簡易な形状にすることによって、取付部材７の構造の簡素化が図れる。
【００４７】
〔実施形態の変形〕
なお、本発明は前述の実施形態に限定されるものではなく、本発明の目的を達成できる範囲での変形、改良等は本発明に含まれるものである。
【００４８】
上記実施形態の光源装置としては、放電発光型や、レーザーダイオード、ＬＥＤ(Light Emitting Diode)、有機ＥＬ(Electro Luminescence)素子、シリコン発光素子等の各種固体発光素子の光源装置を採用してもよい。
また、上記実施形態では、光源装置からの光を色分離光学装置にて３つの色光に分離していたが、色分離光学装置を省略し、３つの色光をそれぞれ射出する３つの固体発光素子を光源装置として構成してもよい。
【００４９】
さらに、プロジェクター１は、反射型光変調装置４を３つ備える三板式のプロジェクターで構成していたが、これに限らず、反射型光変調装置４を２つ備えるプロジェクターや、反射型光変調装置４を４つ以上備えるプロジェクターとして構成しても構わない。
この際、プロジェクター１は、ワイヤーグリッド３および取付部材７も反射型光変調装置４と同様の個数分、備えることとなる。
上記実施形態のプロジェクター１は、スクリーンを観察する方向から投射を行うフロントタイプのプロジェクターや、スクリーンを観察する方向とは反対側から投射を行うリアタイプのプロジェクターに適用可能である。
【産業上の利用可能性】
【００５０】
本発明のプロジェクターは、反射型光変調装置の位置調整を容易にできるため、プレゼンテーションやホームシアター等に利用できる。
【符号の説明】
【００５１】
１…プロジェクター、２…投射ユニット、３…ワイヤーグリッド（反射型偏光板）、４…反射型光変調装置、５…偏光板、６…光学補償素子（光学補償板）、７…取付部材、８…光学補償素子調整部材（光学補償板調整部材）、３１…ワイヤーグリッド調整部材（反射型偏光板調整部材）、３２…操作部、３３，３４…長穴、５１…偏光板調整部材、５２…突出部、５３…孔、５４…操作部、７１…第１側面、７２…第２側面、７３…第３側面、７４…天面部、７５…凹部、７６Ａ，７６Ｂ…固定用切欠部、７６Ｃ…操作用切欠部、７７Ａ…第１支持面、７７Ｂ…第２支持面、７１１，７１２，７１３，７３１・・・突起部、Ａｘ…傾斜軸。
【図１】
0005540929.tif 000002
【図２】
0005540929.tif 000003
【図３】
0005540929.tif 000004
【図４】
0005540929.tif 000005
【図５】
0005540929.tif 000006
【図６】
0005540929.tif 000007
【図７】
0005540929.tif 000008
【図８】
0005540929.tif 000009
【図９】
0005540929.tif 000010